(57)【要約】ポイント対ポイント間（ＰｔＰ）サービスとポイント対マルチポイント間（ＰｔＭ）サービスとの間でのワイヤレス送受信ユニット（ＷＴＲＵ）機能の分散を取り決める方法および装置。本方法は、ＰｔＭとＰｔＰの間で共有されるＰｔＰ／ＰｔＭの固有機能および共通機能に対処する。本方法は、ユニバーサル移動遠隔通信システム地上無線アクセスネットワーク（ＵＴＲＡＮ）内でＰｔＰサービスおよびＰｔＭサービスの確立／リリースならびにＷＴＲＵのＰｔＰ／ＰｔＭ機能の分散を調整するための手順および様々なシナリオを使用する。
2006517773.tif 000002
【特許請求の範囲】
【請求項１】
コントローリング−無線ネットワークコントローラ（Ｃ−ＲＮＣ）およびサービング−ＲＮＣ（Ｓ−ＲＮＣ）を用いるにより、ワイヤレス送受信ユニット（ＷＴＲＵ）に対してポイント対ポイント間（ＰｔＰ）サービスおよびポイント対マルチポイント間（ＰｔＭ）サービスを行うための機能を割り当てる方法であって、
前記Ｃ−ＲＮＣは、
前記ＷＴＲＵから入手される通信機能を前記Ｓ−ＲＮＣに伝えること、
前記Ｓ−ＲＮＣは、
所望のサービスに応答して機能を割り当てること、および
前記Ｃ−ＲＮＣに対して前記割り当てを伝えること、
を含むことを特徴とする方法。
【請求項２】
前記Ｃ−ＲＮＣは、
前記Ｓ−ＲＮＣによって提供される機能を利用して、前記ＷＴＲＵにＰｔＭサービスを提供する、ことを特徴とする請求項１に記載の方法。
【請求項３】
前記Ｃ−ＲＮＣは、
前記ＷＴＲＵにＰｔＰサービスを提供し、
前記Ｓ−ＲＮＣは、
前記Ｃ−ＲＮＣにＰｔＭサービスを起動するよう通知し、
前記Ｃ−ＲＮＣは、
前記Ｓ−ＲＮＣにより提供される前記割り当てに基づいて、ＰｔＰサービスと同時にＰｔＭサービスを起動する、
ことを特徴とする請求項１に記載の方法。
【請求項４】
前記Ｓ−ＲＮＣにより提供される前記割り当ては、
ＰｔＰサービスおよびＰｔＭサービスを同時に提供するために、前記ＰｔＰ機能を削減することを含む、ことを特徴とする請求項３に記載の方法。
【請求項５】
前記Ｓ−ＲＮＣは、
ＰｔＰサービスのために使用される機能を削減することなく、ＰｔＭサービスをイネーブルするのに十分なＷＴＲＵ機能に基づいて、前記ＰｔＰ機能において変更が行われないよう前記Ｃ−ＲＮＣに忠告する、ことを特徴とする請求項３に記載の方法。
【請求項６】
前記Ｃ−ＲＮＣは、
前記ＷＴＲＵにＰｔＰサービスを提供し、
前記Ｓ−ＲＮＣは、
前記Ｃ−ＲＮＣにＰｔＭサービスを起動するよう通知し、
前記Ｃ−ＲＮＣは、
前記Ｓ−ＲＮＣにより提供される割り当てに基づいて、ＰｔＭサービスを起動しそしてＰｔＰサービスを終了する、ことを特徴とする請求項１に記載の方法。
【請求項７】
前記Ｃ−ＲＮＣは、ＰｔＭサービスを提供するために、前記ＷＴＲＵの前記機能すべてを使用する、ことを特徴とする請求項６に記載の方法。
【請求項８】
前記Ｃ−ＲＮＣは、
前記ＷＴＲＵにＰｔＰサービスを提供し、
前記Ｓ−ＲＮＣは、
前記Ｃ−ＲＮＣにＰｔＭサービスを起動するよう通知し、
前記Ｃ−ＲＮＣは、
前記Ｓ−ＲＮＣにより提供される前記割り当てに基づいて、ＰｔＭサービスがＰｔＰサービスと同時に起こらないようにする、
ことを特徴とする請求項１に記載の方法。
【請求項９】
少なくとも１つのワイヤレス送受信ユニット（ＷＴＲＵ）は、複数のセルと通信することができ、各セルは、コントローリング−無線ネットワークコントローラ（Ｃ−ＲＮＣ）およびサービング−ＲＮＣ（Ｓ−ＲＮＣ）を備えたワイヤレス通信におけるポイント対ポイント間（ＰｔＰ）サービスおよびポイント対マルチポイント間（ＰｔＭ）サービスを制御する方法であって、
前記ＷＴＲＵは、
前記複数のセルのうちの１つのセルを選択すること、および
前記複数のセルのうちの１つのセルにおける前記Ｃ−ＲＮＣに、前記ＷＴＲＵの機能を識別するセル更新を提供すること、
前記１つのセルにおける前記Ｃ−ＲＮＣは、
前記１つのセルの前記セル更新前記Ｓ−ＲＮＣを提供すること、
前記１つのセルにおけるＳ−ＲＮＣは、
前記１つのセルにおける前記Ｃ−ＲＮＣに対して、前記ＷＴＲＵの前記セル更新を確認すること、および
ＰｔＭサービスが起動されると、ＰｔＭサービスのために割り当てられる前記ＷＴＲＵの機能を伝えることを含む、
ことを特徴とする方法。
【請求項１０】
前記１つのセルにおけるＣ−ＲＮＣは、前記１つのセルにおけるＳ−ＲＮＣにより割り振られた機能を使用して、前記ＷＴＲＵへのＰｔＭサービスを開始する、ことを特徴とする請求項９に記載の方法。
【請求項１１】
前記１つのセルにおけるＳ−ＲＮＣは、前記ＷＴＲＵの前記機能に基づいて、
ＰｔＰサービスおよびＰｔＭサービスが同時に実施されることを可能にするように、前記ＷＴＲＵ機能に従ってＰｔＰサービスおよびＰｔＭサービスを割り当てるよう、前記１つのセルにおけるＣ−ＲＮＣに命令する、
ことを特徴とする請求項９に記載の方法。
【請求項１２】
前記１つのセルにおけるＳ−ＲＮＣは、前記ＷＴＲＵの前記機能に基づいて、
前記１つのセルにおけるＳ−ＲＮＣがＰｔＭサービスを提供する間、ＰｔＰサービスを停止するよう、前記１つのセルにおけるＣ−ＲＮＣに命令する、
ことを特徴とする請求項９に記載の方法。
【請求項１３】
前記１つのセルにおけるＳ−ＲＮＣは、前記１つのセルにおけるＣ−ＲＮＣからのセル更新の受信に応答して、セル更新を前記ＷＴＲＵに直接確認する、ことを特徴とする請求項９に記載の方法。
【請求項１４】
Ｓ−ＲＮＣおよびＣ−ＲＮＣを有するセルによりＷＴＲＵに提供されるポイント対ポイント間（ＰｔＰ）サービスおよびポイント対マルチポイント間（ＰｔＭ）サービスを向上させる方法であって、
前記Ｓ−ＲＮＣは、
ハンドオーバ条件に応答して、前記Ｃ−ＲＮＣとのラジオリンク（ＲＬ）セットアップ要求を開始すること、
前記Ｃ−ＲＮＣは、
前記ＲＬセットアップ要求に応答して、前記Ｓ−ＲＮＣにＰｔＰ資源を提供すること、
前記Ｓ−ＲＮＣは、
前記Ｃ−ＲＮＣに、ＰｔＭ機能を起動するよう命令すること、
前記Ｃ−ＲＮＣは、
前記Ｓ−ＲＮＣ起動命令への確認を与えること、
前記Ｓ−ＲＮＣは、
前記ＷＴＲＵにハンドオーバ要求を与えること、
を含むことを特徴とする方法。
【請求項１５】
前記Ｃ−ＲＮＣはＰｔＭサービスを開始する、ことを特徴とする請求項１４に記載の方法。
【請求項１６】
Ｃ−ＲＮＣおよびＳ−ＲＮＣを有するセルによりワイヤレス送受信ユニット（ＷＴＲＵ）に提供されるポイント対ポイント間（ＰｔＰ）サービスおよびポイント対マルチポイント間（ＰｔＭ）サービスを向上させる方法であって、
前記Ｓ−ＲＮＣは、
ハンドオーバ条件に応答して、前記Ｃ−ＲＮＣとのラジオリンク（ＲＬ）セットアップ要求を開始すること、
前記Ｃ−ＲＮＣは、
前記ＲＬセットアップ要求に肯定応答を返し、ＰｔＭ機能を確立すること、
前記Ｓ−ＲＮＣは、
前記肯定応答に応答して、前記ＷＴＲＵにハンドオーバ要求を伝えること、
前記Ｃ−ＲＮＣは、
前記ＷＴＲＵへのＰｔＭサービスを開始すること、
を含むことを特徴とする方法。
【請求項１７】
前記Ｓ−ＲＮＣは、
前記ＷＴＲＵの機能を格納し、かつ
ハンドオーバに応答して前記ＷＴＲＵと通信するＣ−ＲＮＣに対して、前記格納された機能を伝える、
ことを特徴とする請求項１６に記載の方法。
【請求項１８】
Ｃ−ＲＮＣおよびＳ−ＲＮＣを備えたセルに入る少なくとも１つのワイヤレス送受信ユニット（ＷＴＲＵ）のためのポイント対マルチポイント間（ＰｔＭ）サービスを確立する方法であって、
前記ＷＴＲＵは、
前記セルにセル更新を提供すること、
前記Ｃ−ＲＮＣは、
前記ＷＴＲＵのセル更新に応答して前記Ｓ−ＲＮＣに情報を与えること、
前記Ｓ−ＲＮＣは、
前記ＷＴＲＵに対して前記セル更新を確認すること、
を含むことを特徴とする方法。
【請求項１９】
前記ＷＴＲＵがセル更新を提供することは、
移送能力および物理処理能力を提供することをさらに含む、ことを特徴とする請求項１８に記載の方法。
【請求項２０】
前記ＷＴＲＵがセル更新を提供することは、
フレームごとに伝送されるビットの数、および許容されるビットの異なる組み合わせの数を提供することを含むセル移送機能を提供すること、
をさらに含むことを特徴とする請求項１８に記載の方法。
【請求項２１】
前記ＷＴＲＵがセル更新を提供することは、
物理チャネルの数およびタイプならびに許容される拡散率のパラメータを含む物理処理能力を提供すること、
をさらに含むことを特徴とする請求項１８に記載の方法。
【請求項２２】
ポイント対ポイント間（ＰｔＰ）サービスおよびポイント対マルチポイント間（ＰｔＭ）サービスのための機能を割り当てる装置であって、
ワイヤレス送受信ユニット（ＷＴＲＵ）から入手された通信機能をサービング−ＲＮＣ（Ｓ−ＲＮＣ）に伝える手段を有するコントローリング−無線ネットワークコントローラ（Ｃ−ＲＮＣ）を備え、
前記Ｓ−ＲＮＣは、
所望のサービスに応答して機能を割り当てる手段と、
前記Ｃ−ＲＮＣに前記割り当てを伝える手段と
を具備したことを特徴とする装置。
【請求項２３】
前記Ｃ−ＲＮＣは、
前記Ｓ−ＲＮＣにより提供される機能を使用して、前記ＷＴＲＵにＰｔＭサービスを提供する手段をさらに備える、
ことを特徴とする請求項２２に記載の装置。
【請求項２４】
前記Ｃ−ＲＮＣは、
前記ＷＴＲＵにＰｔＰサービスを提供する手段をさらに備え、
前記Ｓ−ＲＮＣは、
前記Ｃ−ＲＮＣにＰｔＭサービスを起動するよう通知する手段を備え、
前記Ｃ−ＲＮＣは、
前記Ｓ−ＲＮＣにより提供される前記割り当てに基づいて、ＰｔＰサービスと同時にＰｔＭサービスを起動する手段をさらに備える、
ことを特徴とする請求項２２に記載の装置。
【請求項２５】
前記Ｓ−ＲＮＣにより提供される前記割り当て手段は、
ＰｔＰおよびＰｔＭの同時サービスを提供するために、前記ＰｔＰの機能を削減する手段を、
さらに備えることを特徴とする請求項２４に記載の装置。
【請求項２６】
前記Ｓ−ＲＮＣは、
ＰｔＰサービスのために使用される機能を削減することなく、ＰｔＭサービスを可能にするのに十分なＷＴＲＵ機能に基づいて、前記ＰｔＰ機能において変更が行われないよう、前記Ｃ−ＲＮＣに忠告する手段を、
さらに備えることを特徴とする請求項２４に記載の装置。
【請求項２７】
前記Ｃ−ＲＮＣは、
前記ＷＴＲＵにＰｔＰサービスを提供するための手段を備え、
前記Ｓ−ＲＮＣは、
前記Ｃ−ＲＮＣに、ＰｔＭサービスを起動するよう通知するための手段を備え、
前記Ｃ−ＲＮＣは、
前記Ｓ−ＲＮＣにより提供される割り当てに基づいて、ＰｔＭサービスを起動しＰｔＰサービスを終了するための手段を備える、
ことを特徴とする請求項２２に記載の装置。
【請求項２８】
前記Ｃ−ＲＮＣは、ＰｔＭサービスを提供するために、前記ＷＴＲＵの前記機能すべてを使用する、ことを特徴とする請求項２７に記載の装置。
【請求項２９】
前記Ｃ−ＲＮＣは、
前記ＷＴＲＵにＰｔＰサービスを提供するための手段を備え、
前記Ｓ−ＲＮＣは、
前記Ｃ−ＲＮＣにＰｔＭサービスを起動するよう通知するための手段を備え、
前記Ｃ−ＲＮＣは、
前記Ｓ−ＲＮＣにより提供される前記割り当てに基づいて、ＰｔＭサービスがＰｔＰサービスと同時に起こらないようにするための手段を備える、
ことを特徴とする請求項２２に記載の装置。
【請求項３０】
前記Ｓ−ＲＮＣは、複数のＣ−ＲＮＣにサービス提供する手段を備える、ことを特徴とする請求項２２に記載の装置。
【請求項３１】
前記Ｃ−ＲＮＣは、
前記ＷＴＲＵにＰｔＰサービスを提供する手段をさらに備え、
前記Ｓ−ＲＮＣは、
前記Ｃ−ＲＮＣに、ＰｔＭサービスを切断するよう通知するための手段と、
ＰｔＰサービスを起動するための手段とを備える、
ことを特徴とする請求項２２に記載の装置。
【請求項３２】
前記Ｃ−ＲＮＣにＰｔＭサービスを切断するよう通知するための手段は、
暗黙的規則に基づいて、前記ＷＴＲＵに、ＰｔＭサービスの受信を停止するよう要求する手段をさらに備える、
ことを特徴とする請求項３１に記載の装置。
【請求項３３】
前記Ｃ−ＲＮＣにＰｔＭサービスを切断するよう通知するための手段は、
ＷＴＲＵ機能に基づいて、前記ＷＴＲＵに、ＰｔＭサービスの受信を停止するよう要求する手段をさらに備える、
ことを特徴とする請求項３１に記載の装置。
【請求項３４】
前記Ｃ−ＲＮＣにＰｔＭサービスを切断するよう通知するための手段は、
格納されている前記ＷＴＲＵの構成に基づいて、前記ＷＴＲＵに、ＰｔＭサービスの受信を停止するよう要求する手段をさらに備える、
ことを特徴とする請求項３１に記載の装置。
【請求項３５】
ワイヤレス通信においてポイント対ポイント間（ＰｔＰ）サービスおよびポイント対マルチポイント間（ＰｔＭ）サービスを制御する装置であって、
ワイヤレス送受信ユニット（ＷＴＲＵ）は、
新たなセルを選択する手段と、
前記新たなセルのコントローリング−無線ネットワークコントローラ（Ｃ−ＲＮＣ）に、前記ＷＴＲＵの機能を識別するセル更新を提供する手段とを備え、
前記Ｃ−ＲＮＣは、
サービング−ＲＮＣ（Ｓ−ＲＮＣ）に前記セル更新を提供する手段を備え、
前記Ｓ−ＲＮＣは、
前記Ｃ−ＲＮＣに、前記ＷＴＲＵの前記セル更新を確認する手段と、
ＰｔＭサービスの起動に応答して、ＰｔＭサービスのために割り当てられる前記ＷＴＲＵの機能を伝える手段とを備える、
ことを特徴とする装置。
【請求項３６】
前記Ｃ−ＲＮＣは、前記Ｓ−ＲＮＣにより割り当てられた機能を使用して、前記ＷＴＲＵへのＰｔＭサービスを開始する手段を備える、ことを特徴とする請求項３５に記載の装置。
【請求項３７】
前記Ｓ−ＲＮＣは、前記ＷＴＲＵの機能に基づいて、
ＰｔＰサービスおよびＰｔＭサービスが同時に実施されることを可能にするように、前記ＷＴＲＵ機能をＰｔＰサービスとＰｔＭサービスの間で割り当てるよう、前記Ｃ−ＲＮＣに命令するための手段を備える、
ことを特徴とする請求項３５に記載の装置。
【請求項３８】
前記Ｓ−ＲＮＣは、前記ＷＴＲＵの前記機能に基づいて、
前記Ｓ−ＲＮＣがＰｔＭサービスを提供する間、ＰｔＰサービスを停止するよう、前記Ｃ−ＲＮＣに命令するための手段を備える、
ことを特徴とする請求項３５に記載の装置。
【請求項３９】
前記Ｓ−ＲＮＣは、前記Ｃ−ＲＮＣからのセル更新の受信に応答して、セル更新を前記ＷＴＲＵに直接確認するための手段を備える、ことを特徴とする請求項３５に記載の装置。
【請求項４０】
前記Ｓ−ＲＮＣは、複数のＣ−ＲＮＣにサービス提供する手段を備える、ことを特徴とする請求項３５に記載の装置。
【請求項４１】
ワイヤレス送受信ユニット（ＷＴＲＵ）に提供されるポイント対ポイント間（ＰｔＰ）サービスおよびポイント対マルチポイント間（ＰｔＭ）サービスを向上させる装置であって、
ハンドオーバ条件に応答して、制御ＲＮＣ（Ｃ−ＲＮＣ）とのラジオリンク（ＲＬ）セットアップ要求を開始するための手段を有するサービング−無線ネットワークコントローラ（Ｓ−ＲＮＣ）を備え、
前記Ｃ−ＲＮＣは、
前記ＲＬセットアップ要求に応答して、前記Ｓ−ＲＮＣにＰｔＰ資源を提供する手段を備え、
前記Ｓ−ＲＮＣは、
前記Ｃ−ＲＮＣにＰｔＭ機能を起動するよう命令する手段をさらに備え、
前記Ｃ−ＲＮＣは、
前記Ｓ−ＲＮＣ起動命令への確認を与える手段をさらに備え、
前記Ｓ−ＲＮＣは、
前記ＷＴＲＵにハンドオーバ要求を与える手段を備える、
ことを特徴とする装置。
【請求項４２】
前記Ｃ−ＲＮＣは、ＰｔＭサービスを開始するための手段を備える、ことを特徴とする請求項４１に記載の装置。
【請求項４３】
前記Ｓ−ＲＮＣは、前記ＷＴＲＵの機能を格納するための手段と、
ハンドオーバに応答して前記ＷＴＲＵと通信するＣ−ＲＮＣに対して、前記格納された機能を伝えるための手段とをさらに備える、
ことを特徴とする請求項４１に記載の装置。
【請求項４４】
前記Ｓ−ＲＮＣは複数のＣ−ＲＮＣにサービス提供する手段を備える、ことを特徴とする請求項４０に記載の装置。
【請求項４５】
ワイヤレス送受信ユニット（ＷＴＲＵ）に提供されるポイント対ポイント間（ＰｔＰ）サービスおよびポイント対マルチポイント間（ＰｔＭ）サービスを向上させる装置であって、
ハンドオーバ条件に応答して、制御ＲＮＣ（Ｃ−ＲＮＣ）とのラジオリンク（ＲＬ）セットアップ要求を開始するための手段を有するサービング−無線ネットワークコントローラ（Ｓ−ＲＮＣ）を備え、
前記Ｃ−ＲＮＣは、
前記ＲＬセットアップ要求に肯定応答を返し、ＰｔＭ機能を確立する手段を備え、
前記Ｓ−ＲＮＣは、
前記肯定応答に応答して、前記ＷＴＲＵにハンドオーバ要求を伝える手段をさらに備え、
前記Ｃ−ＲＮＣは、
前記ＷＴＲＵへのＰｔＭサービスを開始する手段を備える、
ことを特徴とする装置。
【請求項４６】
前記Ｓ−ＲＮＣは、複数のＣ−ＲＮＣにサービス提供する手段を備える、ことを特徴とする請求項４５に記載の装置。
【請求項４７】
セルの中に入る少なくとも１つのワイヤレス送受信ユニット（ＷＴＲＵ）のためにポイント対マルチポイント間（ＰｔＭ）サービスを確立する装置であって、
前記セル内のセル更新を提供する手段を備える前記ＷＴＲＵを備え、
前記セル内のコントローリング−無線ネットワークコントローラ（Ｃ−ＲＮＣ）は、
前記ＷＴＲＵのセル更新に応答して、前記セル内のサービング−無線ネットワークコントローラ（Ｓ−ＲＮＣ）に前記更新を知らせる手段を備え、
前記Ｓ−ＲＮＣは、
前記Ｃ−ＲＮＣに応答して、前記ＷＴＲＵに前記セル更新を確認する手段を備える、
ことを特徴とする装置。
【請求項４８】
前記セル更新を提供するＷＴＲＵは、
移送能力および物理処理能力を提供する手段をさらに備える、
ことを特徴とする請求項４７に記載の装置。
【請求項４９】
前記セル更新を提供するＷＴＲＵは、
フレームごとに伝送されるビットの数、および許容されるビットの異なる組み合わせの数を提供する手段を含むセル移送機能を提供する手段をさらに備える、
ことを特徴とする請求項４７に記載の装置。
【請求項５０】
前記セル更新を提供する手段は、
物理チャネルの数およびタイプならびに許容される拡散率のパラメータを提供する手段を含む物理処理能力を提供する手段をさらに備える、
ことを特徴とする請求項４７に記載の装置。
【請求項５１】
前記Ｓ−ＲＮＣは、複数のＣ−ＲＮＣにサービスを提供する手段を備える、ことを特徴とする請求項４７に記載の装置。
【発明の詳細な説明】
【技術分野】
【０００１】
本発明は概して、ワイヤレス送受信ユニット（ＷＴＲＵ：wireless transmit/receive unit）の機能(capability)に関し、より詳細には、ポイント対ポイント間（ＰｔＰ：point to point）サービスとポイント対マルチポイント間（ＰｔＭ：point to multipoint）サービスとの間でＷＴＲＵ機能を分散(distribution)させる方法に関する。
【背景技術】
【０００２】
概して、ＷＴＲＵ機能は移送能力および物理処理能力を識別することが公知である。移送機能(transport capability)は、フレームごとの伝送ビットの数、許容される異なるビットの組み合わせの数、および他の類似パラメータなどの移送チャネル属性を規定する。物理機能(physical capability)は、許可される拡散率および他の類似パラメータなどのパラメータを含む、物理チャネルの数およびタイプを規定する。
【０００３】
ＰｔＰサービスのために、無線ベアラ（ＲＢs：radio bearers）が、サービング−無線ネットワークコントローラ（Ｓ−ＲＮＣ）によって制御されることを留意すべきである。Ｓ−ＲＮＣは、ＲＢの確立、データ伝送、リリース、およびサービス品質（ＱｏＳ）の維持を調整する。
【０００４】
ＰｔＰ  ＲＢsの確立に先立って、ＷＴＲＵは、その機能をＳ−ＲＮＣに信号通知する。物理資源は、コントローリング−ＲＮＣ（Ｃ−ＲＮＣ）によって判定され、物理資源を正しく判定するために、次いでＳ−ＲＮＣは、Ｃ−ＲＮＣに機能情報を中継する。
【０００５】
ＰｔＭサービスのために、ＲＢsは、Ｃ−ＲＮＣによって管理される。ＰｔＰの場合と同様、Ｃ−ＲＮＣは、ＰｔＭ  ＲＢsの確立、伝送、およびリリースを調整する。ＰｔＭ移送チャネルおよび物理チャネルを正しく構成するために、ＰｔＭサービスに関連づけられたＷＴＲＵのＰｔＭ機能を知る必要がある。したがって、この情報をＣ−ＲＮＣに提供する手順を規定することが必要である。
【０００６】
ＰｔＰサービスおよびＰｔＭサービスは同時に存在し得るので、ＷＴＲＵ機能が効率的に使用されるとともにその限度が超えられることがないように、こうしたサービスの伝送を調整する必要がある。
【０００７】
一部のＷＴＲＵは、ＰｔＰサービスおよびＰｔＭサービス両方を同時に受けるための機能をもたず、他のＷＴＲＵは、こうしたサービスタイプの間で機能を分散させなければならない。
【発明の開示】
【発明が解決しようとする課題】
【０００８】
したがって、ＰｔＰサービスとＰｔＭサービスの間でＷＴＲＵ機能の割り当てを調整することが必要であり望ましい。さらに、ＰｔＰサービスはＳ−ＲＮＣによって管理され、ＰｔＭサービスはＣ−ＲＮＣによって管理されるので、上述した２つのタイプのＲＮＣの間で、ＷＴＲＵ機能の使用を調整するための手順を用意することが望ましい。
【課題を解決するための手段】
【０００９】
本発明は、ＰｔＰサービスとＰｔＭサービスの間でのＷＴＲＵ機能の分散を取り決める方法を提供し、一例として、ユニバーサル移動遠隔通信システム地上無線アクセスネットワーク（ＵＴＲＡＮ）におけるＷＴＲＵのＰｔＰ／ＰｔＭ機能の確立および分散を調整するための様々なシナリオを記述する。本発明は、従来技術の使用ではこれまで入手不可能だったＰｔＰサービスおよびＰｔＭサービスを提供する通信ネットワークの効率を高めるためのＰｔＰ／ＰｔＭサービス管理用の様々なシナリオも提供する。
【００１０】
ＰｔＭとＰｔＰの間で共有される、ＰｔＭ／ＰｔＰに固有または共通の機能は、以下のものを含む。
【００１１】
ＰｔＭサービスとＰｔＰサービスの間でＷＴＲＵ機能を調整するために、独立した機能が、各サービスに対して固有と識別される。新しいＰｔＭ機能が、既存のＰｔＰ機能に追加される。ＰｔＰ／ＰｔＭの組み合わせの数を制限するために、ＰｔＭ機能およびＰｔＰ機能の、好まれる特定の組み合わせを示すための索引が指定される。
【００１２】
ＰｔＭサービスおよびＰｔＰサービスが両方とも同時に受けられ得るか否かというインジケータも、ＷＴＲＵ機能の中で指定される。ＰｔＭおよびＰｔＰが同時に受けられることができない場合、ＰｔＭおよびＰｔＰの独立機能は、相互に排他的なリストとなる。
【００１３】
ＰｔＰサービスとＰｔＭサービスの間で共有される共通のＰｔＭ機能およびＰｔＰ機能の場合、Ｓ−ＲＮＣおよびＣ−ＲＮＣは、ＰｔＰサービスとＰｔＭサービスの間での機能の分散を調整する。ＰｔＰサービスおよびＰｔＭサービスの同時サポートが指示されないとき、ＷＴＲＵ機能は、ＰｔＰサービスまたはＰｔＭサービスに専用である。
【００１４】
ＵＴＲＡＮにおけるＰｔＰサービスおよびＰｔＭサービスの確立およびＷＴＲＵのＰｔＰ／ＰｔＭ機能の分散を調整するための例示的な手順は、以下を含む。
【００１５】
既存の手順に従って、無線資源制御（ＲＲＣ：radio resource control）無線アクセスネットワーク（ＲＡＮ：radio access network）接続(connection)が確立されると、Ｓ−ＲＮＣは、ＷＴＲＵのＰｔＰ機能およびＰｔＭ機能を知らされる。本発明の実施形態は、ＰｔＭサービスに使用可能なＷＴＲＵ機能を識別する機構を、Ｃ−ＲＮＣに提供する。さらに、両方のサービスが同時にアクティブであり、互いに対して非同期に確立することもリリースすることもできる場合、Ｓ−ＲＮＣとＣ−ＲＮＣの間でのＷＴＲＵのＰｔＰ機能およびＰｔＭ機能の調整のための手順が規定される。
【００１６】
Ｃ−ＲＮＣは、このＣ−ＲＮＣによって制御されるどのセルにＷＴＲＵが入っても、ＰｔＰ／ＰｔＭに共通の、またはＰｔＭに固有のＷＴＲＵ機能のいずれかが知らされる。この通知は、ＷＴＲＵに、アクティブな専用ＰｔＰサービスがない場合の既存のセル更新手順の修正、専用ＰｔＰサービスが存在する場合のラジオリンク（ＲＬ）セットアップ手順の修正、および／またはＰｔＭサービスが起動されたときの、Ｃ−ＲＮＣによって開始される新しい追加手順を用いて遂行される。
【００１７】
ＷＴＲＵに確立された専用ＰｔＰサービスがない場合、ＷＴＲＵは、新しいセルまたは複数のセルを含むＰｔＭ分散エリア(distribution area)に入ると常に、既存のセル更新手順を開始する。既存のセル更新手順の目的は、ＷＴＲＵの場所を更新し、それに応じて、ＷＴＲＵへの新しい伝送経路を確立するようにＵＴＲＡＮの経路指定を更新することである。セル更新を受信すると、Ｓ−ＲＮＣは、起動されているＰｔＭサービスがＷＴＲＵにあるか否かを判定し、そうしたサービスがある場合、Ｃ−ＲＮＣへのセル更新確認の中で、ＰｔＭのＷＴＲＵ機能を返す。あるいは、ＰｔＭのＷＴＲＵ機能情報は、個別のメッセージ（すなわち、サービス起動／ＰｔＭ  ＲＢセットアップ）としてＣ−ＲＮＣに与えられる。いずれの場合も、ＰｔＭ機能がＣ−ＲＮＣに信号通知されるのをトリガするのは、セル更新手順である。
【００１８】
一例として提示され、同じ要素が同じ番号で示されている添付の図面と併せて理解されるべき以下の好ましい実施形態の説明から、本発明がより詳細に理解されることができよう。
【発明を実施するための最良の形態】
【００１９】
図１は、専用(dedicated)ＰｔＰサービスが存在しない場合に、新しいセルに入ったときのＰｔＭの例示的なＷＴＲＵ機能手順を示す。ＷＴＲＵ１０によってステップＳ１で引き起こされたセル更新は、この手順の開始が、新しいセル内でＰｔＭサービスを維持するためであるということを、セル更新メッセージ中で新しい原因値を用いて信号通知するのにも使われる。このように示すことによって、このＰｔＭサービス、またはＷＴＲＵが起動したサービスを識別することもできる。
【００２０】
Ｃ−ＲＮＣ１２は、ステップＳ１でセル更新メッセージを受信すると、そのセル内で現在アクティブであるＰｔＭサービスを調べる。ＷＴＲＵが起動(activate)されているセルの中で使用可能なサービスがある場合、Ｃ−ＲＮＣは、ステップＳ２で、Ｓ−ＲＮＣ１４に、セル更新手順を用いて、ＷＴＲＵのＰｔＭ機能が必要であることを示す。あるいは、セル更新は、Ｓ−ＲＮＣ１４に、ＷＴＲＵ１０がセルを変更し、その結果、Ｓ−ＲＮＣ１４がサービスを開始することになったことを単に通知するのに用いられる。この場合、新しいＰｔＭ起動メッセージ(activation message)または既存の共通チャネル資源セットアップ手順の修正が、ＰｔＭ機能を信号通知するのに用いられる。したがって、Ｓ−ＲＮＣ１４は、ステップＳ３で、セル更新を確認し、ＷＴＲＵ１０に警告を行うＣ−ＲＮＣ１２にＰｔＭ機能を提供する。ＰｔＭ機能は、ステップＳ４で認識され、ステップＳ５でＰｔＭサービスが開始される。
【００２１】
図２は、個別の手順による起動を用いた、専用ＰｔＰサービスが存在しない場合に新しいセルに入ったときの、ＰｔＭの例示的なＷＴＲＵ機能手順を概略的に示す。専用ＰｔＰサービスがセル内で確立されている場合、最初の確立のとき、また、異なるＣ−ＲＮＣ１２によって制御されるセルにＷＴＲＵ１０が入ると常に、ＷＴＲＵ１０は、ステップＳ１で、Ｃ−ＲＮＣ１２とのセル更新を開始する。Ｃ−ＲＮＣ１２は、ステップＳ２で、Ｓ−ＲＮＣ１４にセル更新の確認を送る。Ｓ−ＲＮＣ１４は、ＲＬセットアップ手順を生成し、ステップＳ３で、ＰｔＭサービスが新しいセル内で起動されるべきか否かを判定し、ＷＴＲＵ１０とのセル更新を直接確認する。Ｓ−ＲＮＣ１４は、所望される場合、Ｃ−ＲＮＣ１２にＷＴＲＵ機能およびＰｔＰ要件を知らせる。ＰｔＭのＷＴＲＵ機能情報は、Ｓ−ＲＮＣ１４によって、個別のメッセージ（すなわち、ステップＳ４でのサービス起動／ＰｔＭ  ＲＢのセットアップまたは既存の共通チャネル資源セットアップメッセージの修正）としてＣ−ＲＮＣ１２に提供してもよい。Ｃ−ＲＮＣ１２は、ＰｔＰ物理資源の割り当ておよび関連するＷＴＲＵ機能要件を判定し、ステップＳ５で、Ｓ−ＲＮＣ１４にＰｔＭの起動を確認する。Ｃ−ＲＮＣ１２によって実施されるステップＳ６およびＳ７は、図１におけるフロー図のステップＳ４およびＳ５と同様であり、ステップＳ６でＰｔＭ機能が認識され、ステップＳ７でＰｔＭサービスが開始される。共通ＰｔＰ／ＰｔＭ機能の場合、Ｃ−ＲＮＣ１２は、追加のＵＴＲＡＮ手順を必要とすることなく、ＰｔＭサービスのための、それ以外の使用可能なＷＴＲＵ機能を推定することができる。固有ＰｔＭ機能(specific PtM capability)の場合、この推定(caluculation)は不要である。
【００２２】
図３は、ＰｔＭサービスを確立するための個別の手順を用いた、専用ＰｔＰが確立されると共に別のＣ−ＲＮＣによって制御されるセルにハンドオーバされたときのＰｔＭの例示的なＷＴＲＵ機能手順を示す。図２に示されるシナリオに代わるものとして、Ｓ−ＲＮＣ１４によってステップＳ１で開始されると共にＣ−ＲＮＣによってステップＳ２で応答されるＲＬセットアップは、ＷＴＲＵ１０が起動したＰｔＭサービスを示す。Ｃ−ＲＮＣ１２によって受け取られると、こうしたＰｔＭサービスが、ＷＴＲＵが入ったセルにとって使用可能であるかどうかが検証される。ＷＴＲＵが起動されているセルの中に使用可能なサービスがある場合、Ｃ−ＲＮＣ１２は、Ｓ−ＲＮＣ１４に、ＲＬセットアップ手順と同時に、またはそれに引き続いて、ＷＴＲＵのＰｔＭ機能が必要であることを示す。ＰｔＭの起動および確認は、図２に示されるステップＳ４およびＳ５とそれぞれ同様である、ステップＳ３およびＳ４で、Ｓ−ＲＮＣ１４およびＣ−ＲＮＣ１２によって、それぞれ実施される。要求されたハンドオーバが、ステップＳ５で、Ｓ−ＲＮＣ１４によってＷＴＲＵ１０に直接送られる。ＰｔＭサービスの開始が、ステップＳ６で、Ｃ−ＲＮＣ１２によってＷＴＲＵ１０に伝えられる。
【００２３】
図４は、単一の手順を用いた、専用ＰｔＰが確立されると共に別のＣ−ＲＮＣ１２によって制御されるセルにハンドオーバされたときの、例示的な機能手順を示す。より具体的には、図４のルーチンは、初期ＰｔＭサービス確立の場合に対処する。
【００２４】
ＰｔＭサービスが確立される必要がある場合、Ｓ−ＲＮＣ１４は、ステップＳ１で、サービスの起動においてＷＴＲＵ１０のＰｔＭ機能をＣ−ＲＮＣ１２に知らせ、これに対して、Ｃ−ＲＮＣ１２は、ステップＳ２で、ＲＬセットアップ応答で応答する。あるいは、Ｃ−ＲＮＣ１２は、説明を簡単にするために図示されていない個別の手順において、Ｓ−ＲＮＣ１４に対してＷＴＲＵ機能を引き続き要求することもできる。ＷＴＲＵハンドオーバ要求は、ステップＳ３で、ＷＴＲＵ１０に直接伝えられる。ＰｔＭサービスの開始は、ステップＳ４で、ＷＴＲＵ１０に伝えられる。
【００２５】
図５は、点線で示されるステップＳ２およびＳ３での、任意選択の後続機能要求手順を用いた、ＰｔＭの起動における例示的なＷＴＲＵ機能を示す。より具体的には、ＰｔＰサービスが進行中のとき、ＷＴＲＵ機能は、Ｃ−ＲＮＣ１２に知られており、ＰｔＭサービス用に使用可能な機能が、ステップＳ４でのＰｔＭの開始に関連づけられた、またはそれに引き続いて起こる、ＰｔＭ機能の信号通知を必要とすることなく、判定される。
【００２６】
ＰｔＰサービスが確立される必要があり、ＰｔＭ／ＰｔＰサービスの同時サポートがＷＴＲＵ機能の中で示されていない場合、呼受付制御（ＣＡＣ）のためのＳ−ＲＮＣ１４のＲＬセットアップ手順の受信、またはＣ−ＲＮＣ１２での代替ＵＴＲＡＮ手順のどちらかの結果として、ＰｔＭサービスがリリースされなければならない。ＲＬセットアップ／ＣＡＣ手順の場合、Ｓ−ＲＮＣ１４への正常な応答の結果、ＰｔＭサービスがリリースされなければならない。このリリースは、ＰｔＭサービスの受信をＷＴＲＵ１０が停止することを要求する、明示的信号通知を用いてＰｔＰサービスを確立するための、既存のＳ−ＲＮＣ１４からＷＴＲＵ１０への手順（ステップＳ１）を修正することによっても、ＷＴＲＵ機能または格納されている構成に基づいてＰｔＭサービスのリリースを指定する暗黙的規則によっても遂行される。
【００２７】
図６は、ＷＴＲＵ機能がＰｔＰ／ＰｔＭの同時サポートを許可しない場合のＰｔＭサービスのリリースの一例を示す。前述のシナリオに代わるものとして、ＰｔＭサービスのリリースは、Ｃ−ＲＮＣ１２が開始した新しい手順によって呼び出される。ページングおよび通知チャネルが、ＷＴＲＵ１０にＰｔＭサービス伝送を知らせるのに使われる。これと同じチャネルが、ＷＴＲＵ１０あるいはそのサービス用に起動された、または新たに確立されたＰｔＰリンクにあるすべてのＷＴＲＵへのＰｔＭサービスの終了を、ＷＴＲＵ１０に通知するのに使われる。
【００２８】
共有されるＰｔＭおよびＰｔＰ機能の場合、ＰｔＰサービスが確立される必要があるとき、Ｃ−ＲＮＣ１２は、図６に示されるやり方で、ＰｔＭ修正メッセージと同様の手順を用いて、ＰｔＭ機能要件を削減することができる。より具体的には、ステップＳ１でＣ−ＲＮＣ１２によって制御される進行中のＰｔＭサービスを用いて、Ｓ−ＲＮＣ１４が、ＰｔＰサービス要件を判定し、ステップＳ２でＲＬセットアップを開始する。Ｃ−ＲＮＣ１２は、ステップＳ３で応答する。ＰｔＭ機能は、任意選択で、ＰｔＭサービスおよびＰｔＰサービスを両方ともＷＴＲＵが調整することができるとき、点線で示されるステップＳ４で、ＰｔＭサービスを削減し、ＰｔＭサービスおよびＰｔＰサービスを共有するように修正される。Ｓ−ＲＮＣ１４は、ステップＳ５で、ページングおよび通知チャネルを介してＷＴＲＵ１０に通知を行うことによってＰｔＰサービスを開始し、そうすることによって、ＰｔＰサービスを確立し、ＰｔＭサービスをリリースする。Ｃ−ＲＮＣ１２は、ステップＳ６でＰｔＰサービスを開始する。
【００２９】
以上、本発明は、時分割複信（ＴＤＤ）、周波数分割複信（ＦＤＤ）、符号分割多元接続（ＣＤＭＡ）、および他の伝送モードに限定せずに適用可能であることを想定している。本発明について、好ましい実施形態を参照して具体的に説明してきたが、当業者であるならば、本発明の範囲から逸脱することなく、形態および様々な変更を加えることができよう。
【図面の簡単な説明】
【００３０】
【図１】専用ＰｔＰサービスが存在しない場合に新しいセルに入ったときの、ＰｔＭのＷＴＲＵ機能手順を示す図である。
【図２】図１のシナリオと同様であるが、個別の手順による起動を含むシナリオを示す図である。
【図３】ＰｔＭサービスを確立するための個別の手順を用いた、専用ＰｔＰが確立されると共に別のＣ−ＲＮＣによって制御されるセルにハンドオーバされたときの、ＰｔＭのＷＴＲＵ機能手順を示す図である。
【図４】単一の手順を用いた、専用ＰｔＰが確立されると共に別のＣ−ＲＮＣによって制御されるセルにハンドオーバされたときのＰｔＭのＷＴＲＵ機能を示す図である。
【図５】任意選択の後続機能要求手順を用いた、ＰｔＭの起動におけるＷＴＲＵ機能を示す図である。
【図６】ＷＴＲＵ機能がＰｔＰ／ＰｔＭの同時サポートを許可しない場合に、ＰｔＰが確立されたときのＰｔＭサービスを示す図である。
【図１】
2006517773.tif 000003
【図２】
2006517773.tif 000004
【図３】
2006517773.tif 000005
【図４】
2006517773.tif 000006
【図５】
2006517773.tif 000007
【図６】
2006517773.tif 000008
【手続補正書】
【提出日】平成17年2月1日(2005.2.1)
【手続補正１】
【補正対象書類名】特許請求の範囲
【補正対象項目名】請求項９
【補正方法】変更
【補正の内容】
【請求項９】
少なくとも１つのワイヤレス送受信ユニット（ＷＴＲＵ）は、複数のセルと通信することができ、各セルは、コントローリング−無線ネットワークコントローラ（Ｃ−ＲＮＣ）およびサービング−ＲＮＣ（Ｓ−ＲＮＣ）を備えたワイヤレス通信におけるポイント対ポイント間（ＰｔＰ）サービスおよびポイント対マルチポイント間（ＰｔＭ）サービスを制御する方法であって、
前記ＷＴＲＵは、
前記複数のセルのうちの１つのセルを選択すること、および
前記複数のセルのうちの１つのセルにおける前記Ｃ−ＲＮＣに、前記ＷＴＲＵの機能を識別するセル更新を提供すること、
前記１つのセルにおける前記Ｃ−ＲＮＣは、
前記１つのセルにおけるＳ−ＲＮＣに対して、前記セル更新を提供すること、
前記１つのセルにおけるＳ−ＲＮＣは、
前記１つのセルにおける前記Ｃ−ＲＮＣに対して、前記ＷＴＲＵの前記セル更新を確認すること、および
ＰｔＭサービスが起動されると、ＰｔＭサービスのために割り当てられる前記ＷＴＲＵの機能を伝えることを含む、
ことを特徴とする方法。
【国際調査報告】
2006517773.tif 000009